(57)【要約】【課題】第1クラスタを形成する複数の第１電源モジュールを含む無線電力伝送管理システムを提供する。【解決手段】  各第１電源モジュールは、第１電源ユニットと、エネルギー情報ユニットと、第１無線送受信ユニットと、第１制御ユニットとを有する。エネルギー情報ユニットは、第1電源ユニットに電気的に接続される。第1無線送受信ユニットは、第1電力伝送情報及び電力を送受信する。第1制御ユニットはエネルギー情報ユニット及び第1無線送受信ユニットに電気的に接続され、第1無線送受信ユニットを制御して第1電力伝送情報及び電力を送受信する。前記第1無線送受信ユニットは相互間で前記第1電力伝送情報を伝送するとともに、前記第1電源モジュールは制御信号により優先順序を決定する。【選択図】図1
2015033324.tif 000002
【特許請求の範囲】
【請求項１】
複数の第１電源モジュールを含み、
前記第１電源モジュールが第１クラスタを形成し、
各第１電源モジュールが、第１電源ユニットと、エネルギー情報ユニットと、第１無線送受信ユニットと、第１制御ユニットとを有し、
前記第１電源ユニットは、第１電源エネルギーを有し、
前記エネルギー情報ユニットは、前記第１電源ユニットに電気的に接続され、第１電力伝送情報を生成し、そのうち、前記第１電力伝送情報が前記第１電源エネルギー、電力伝送の距離、通信プロトコルのアドレス、前記第１電源モジュールが対応する名称、のうち少なくとも一つを有し、
前記第１無線送受信ユニットは、少なくとも一つの第１無線送受信端を有し、前記第１無線送受信ユニットが前記第１無線送受信端を介して前記第１電力伝送情報及び電力を送受信し、
前記第１制御ユニットは、前記エネルギー情報ユニット及び前記第１無線送受信ユニットに電気的に接続され、前記第１無線送受信ユニットを制御して前記第１電力伝送情報及び前記電力を送受信し、
そのうち、前記第１無線送受信ユニットが相互に前記第１電力伝送情報を伝送するとともに、前記第１電源モジュールが制御信号に基づいて優先順序を決定することを特徴とする無線電力伝送管理システム。
【請求項２】
前記制御信号は、先ず、前記第１制御ユニットの中から主制御ユニットを選出し、残りの前記第１制御ユニットが従属制御ユニットになるとともに、前記従属制御ユニットをそれぞれ複数のグループに分類し、
そのうち、前記主制御ユニットは、前記従属制御ユニットが前記電力の伝送と受信を行うことを管理することを特徴とする請求項１記載の無線電力伝送管理システム。
【請求項３】
前記第１制御ユニットは、前記第１電力伝送情報に基づき前記制御信号を生成し、前記制御信号は、前記第１制御ユニットのうちの一つを主制御ユニットに設定し、残りの前記第１制御ユニットをそれぞれ従属制御ユニットに分け、
そのうち、前記主制御ユニットは、前記従属制御ユニットの前記電力の伝送と受信を行うことを管理することを特徴とする請求項１記載の無線電力伝送管理システム。
【請求項４】
前記第１電源モジュールは、それぞれが有する前記第１電力伝送情報に基づき複数のグループに分類することを特徴とする請求項３記載の無線電力伝送管理システム。
【請求項５】
各グループ中の第１電源モジュールの第１制御ユニットがサブ制御ユニットであり、前記サブ制御ユニットは、属するグループ中の前記第１電源モジュールの電力の伝送と受信を行うことを管理することを特徴とする請求項２又は４記載の無線電力伝送管理システム。
【請求項６】
前記主制御ユニットが正常に動作しない場合、前記グループ内の前記サブ制御ユニットのうちの一つが前記主制御ユニットを置換して、前記主制御ユニットとなることを特徴とする請求項５記載の無線電力伝送管理システム。
【請求項７】
前記主制御ユニットの前記サブ制御ユニットは、前記主制御ユニットの次の優先順序を有することを特徴とする請求項６記載の無線電力伝送管理システム。
【請求項８】
前記主制御ユニット及び前記従属制御ユニットの主従関係は、ユーザーによって決定されることを特徴とする請求項２又は３記載の無線電力伝送管理システム。
【請求項９】
更に、第２クラスタを含み、
前記第２クラスタ内に、複数の第２電源モジュールを有し、
前記第２クラスタの前記第２電源モジュールと前記第１クラスタの前記第１電源モジュールは相互に優先順序を決定するとともに、相互に前記電力を伝送することを特徴とする請求項１記載の無線伝送管理システム。  
【請求項１０】
前記決定する優先順序は、前記電力の無線伝送又は受信の優先順序を含むことを特徴とする請求項１記載の無線電力伝送管理システム。
【請求項１１】
少なくとも一つの第１電源モジュールと、第２電源モジュールとを含み、
そのうち、前記第１電源モジュールは、第１クラスタを形成し、
前記第１電源モジュールは、
第１電源ユニットと、エネルギー情報ユニットと、第１無線送受信ユニットと、第１制御ユニットと、を含み、
前記第１電源ユニットは、第１エネルギーを有し、
前記エネルギー情報ユニットは、前記第１電源ユニットに電気的に接続され、第１電力伝送情報を生成し、
前記第１無線送受信ユニットは、少なくとも一つの第１無線送受信端を有し、前記第１無線送受信ユニットが前記第１無線送受信端を介して前記第１電力伝送情報及び電力を送受信し、
前記第１制御ユニットは、前記エネルギー情報ユニット及び前記第１無線送受信ユニットに電気的に接続され、前記第１無線送受信ユニットを制御して前記第１電力伝送情報及び前記電力を送受信し、そのうち、前記第１電力伝送情報が前記第１電源エネルギー、電力伝送の距離、通信プロトコルのアドレス、前記第１電源モジュールが対応する名称、のうち少なくとも一つを有し、
前記第２電源モジュールは、第２電源ユニットと、エネルギー情報ユニットと、第２制御ユニットと、第２無線送受信ユニットと、を含み、
前記第２電源ユニットは、第２電源エネルギーを有し、
エネルギー情報ユニットは、前記第２電源ユニットに電気的に接続され、第２電力伝送情報を生成し、そのうち、前記第２電力伝送情報が前記第２電源エネルギー、前記電力伝送の距離、通信プロトコルのアドレス、前記第１電源モジュールが対応する名称、のうち少なくとも一つを有し、
前記第２無線送受信ユニットは、前記第１制御ユニットに電気的に接続され、少なくとも一つの第２無線送受信端を有し、前記第２無線送受信ユニットと前記第１無線送受信ユニットは、相互に前記第１及び第２電力伝送情報を伝送し、  そのうち、前記第２無線送受信ユニットが前記第１及び第２電力伝送情報に基づき制御信号を生成し、前記制御信号が、前記第２無線送受信ユニットを介して前記第１電源モジュールに伝送され、そのうち、前記第１電源モジュールの前記第１制御ユニットが前記制御信号に基づき前記第１電源モジュールの優先順序を決定する
ことを特徴とする無線電力伝送管理システム。
【請求項１２】
前記第１電源モジュールの間は、前記第２無線送受信ユニット及び前記第１無線送受信ユニットを介して相互に前記電力を伝送することを特徴とする請求項１１記載の無線電力伝送管理システム。
【請求項１３】
前記第２制御ユニットは、前記第１及び第２電力伝送情報に基づき前記第２電源モジュールの前記第２制御ユニット及び前記第１電源モジュールの前記第１制御ユニットをそれぞれ主制御ユニットと従属制御ユニットに設定することを特徴とする請求項１２記載の無線電力伝送管理システム。
【請求項１４】
前記主制御ユニットは、前記従属ユニットを管理して電力の伝送及び受信を行うとともに、前記主制御ユニットは、前記第１電力伝送情報に基づき前記第１電源モジュールを複数のグループに分類することを特徴とする請求項１３記載の無線電力伝送管理システム。
【請求項１５】
各グループ中の第１電源モジュールの第１制御ユニットがサブ制御ユニットであり、
前記サブ制御ユニットは、属するグループ中の前記第１電源モジュールを管理して電力の伝送及び受信を行い、
そのうち、前記主制御ユニットが正常に動作しない場合、前記サブ制御ユニットのうちの一つが前記主制御ユニットを置換して前記主制御ユニットとなることを特徴とする請求項１４記載の無線電力伝送管理システム。
【請求項１６】
更に、第２クラスタを含み、
前記第２クラスタ内に、少なくとも一つの第２電源モジュールを有し、
前記第２クラスタの前記第２電源モジュールと前記第１クラスタの前記第１電源モジュールは相互に前記電力を伝送することを特徴とする請求項１１記載の無線伝送管理システム。
【請求項１７】
前記決定する優先順序は、無線伝送又は受信の優先順序を含むことを特徴とする請求項１１記載の無線電力伝送管理システム。
【請求項１８】
第１クラスタを形成するように複数の第１電源モジュールを提供し、各第１電源モジュールは、第１電源エネルギーを有し、前記第１電源モジュールは、第１無線送受信ユニット及び第１制御ユニットを含み、
前記第１無線送受信ユニットは、第１電力伝送情報及び電力を無線送受信し、
前記第１電源モジュールの前記第１制御ユニットは、前記第１無線送受信ユニットを制御して前記第１電力伝送情報及び前記電力を送受信し、
そのうち、前記第１電力伝送情報は、前記第１電源エネルギー、前記電力伝送の距離、通信プロトコルのアドレス、前記第１電源モジュールが対応する名称、のうちの一つを含み、
そのうち、前記第１電源モジュールは、制御信号により前記電力の無線伝送又は受信の優先順序を決定することを特徴とする無線電力伝送管理方法。
【請求項１９】
前記第１制御ユニットは、前記第１電力伝送情報に基づき前記制御信号を生成し、
前記制御信号は、前記第１制御ユニットのうちの一つを主制御ユニットとして設定し、残りの前記第１制御ユニットをそれぞれ従属制御ユニットとして設定し、
そのうち、前記主制御ユニットは、前記従属制御ユニットが前記電力の伝送と受信を行うことを管理することを特徴とする請求項１８記載の無線電力伝送管理方法。
【請求項２０】
前記制御信号は、先ず、前記第１制御ユニット中から主制御ユニットを選出するとともに、残りの前記第１制御ユニットをそれぞれ複数のグループに分類し、
そのうち、前記主制御ユニットは、前記従属制御ユニットが前記電力の送電と受信を行うことを管理することを特徴とする請求項１８記載の無線電力伝送管理方法。
【請求項２１】
各グループ中の第１電源モジュールの第１制御ユニットがサブ制御ユニットであり、
前記サブ制御ユニットは、属するグループ中の前記第１電源モジュールが電力の伝送と受信を行うことを管理し、
そのうち、前記主制御ユニットが正常に動作しない場合、前記グループ内の前記サブ制御ユニットのうちの一つが前記主制御ユニットを置換して前記主制御ユニットとなることを特徴とする請求項１９又は２０記載の無線電力伝送管理方法。
【請求項２２】
更に、第２クラスタを含み、
前記第２クラスタ内に、複数の第２電源モジュールを有し、
前記第２クラスタの前記第２電源モジュールと前記第１クラスタの前記第１電源モジュールは相互に前記電力を伝送することを特徴とする請求項１８記載の無線伝送管理方法。
【請求項２３】
電子装置を提供し、
前記電子装置は、第２制御ユニット及び第２無線送受信ユニットを含み、
そのうち、前記第２無線送受信ユニットと前記第１無線送受信ユニットは相互に前記第１電力伝送情報を伝送し、
前記第２制御ユニットは、前記第１電力伝送情報に基づき、前記制御信号を生成し、そのうち、前記制御信号は、前記第２無線送受信ユニットを介して前記第１電源モジュールに伝送され、前記制御信号は、前記第２制御ユニット及び前記第１制御ユニットをそれぞれ主制御ユニット及び従属制御ユニットに設定することを特徴とする請求項１８記載の無線電力伝送管理方法。
【発明の詳細な説明】
【技術分野】
【０００１】
本発明は、無線電力伝送に関し、特に、複数の電源モジュール間の無線電力伝送管理システム及びその方法に関する。
【背景技術】
【０００２】
この数年、科学技術の進歩に伴い、たとえば、ノート型パソコン、タブレット型パソコン又はスマートフォンなどのように、人々のモバイル装置に対する要求は高まっている。しかし、上述のモバイル装置の多くは、電池を電源とする装置であり、充電時に充電装置を使用して有線式によりモバイル装置に接続し、モバイル装置内蔵の電池を充電するので、その使用範囲は限られている。充電をより便利にするために、無線充電装置の技術とその応用に関して日々発展しており、例えば、電磁誘導方式、共振方式、又はその他の方式により、無線充電の装置を完成している。
【０００３】
現在の無線充電装置は、従来の有線方式によるモバイル装置を充電するという欠点を解決するが、周知の無線充電方式は、その充電方式が、受信端の電子装置内の電源モジュールを介して、電源端の給電モジュールを誘導して、電子装置内の電源モジュールに対して充電を行うという目的を達成できた。しかし、前記エネルギー受信端は、電源端からのエネルギーを受信するか否かを決定する機能を有しておらず、同時に、前記電源端もエネルギーを発射するか否かを決定する機能を有していない。
【０００４】
無線充電の有効充電距離の広がりに伴い、給電モジュールの有効充電距離を充電範囲の基準とするだけでは、無線充電技術を有効に利用することができない。
【０００５】
これに鑑み、本発明は上述の無線充電モデルを改善・向上させるために、無線充電の有効充電距離を十分に利用して、更に無線エネルギーの伝送モデルを有効に向上させる。
【発明の概要】
【発明が解決しようとする課題】
【０００６】
本発明の実施例は無線電力伝送管理システム及びその方法を提供し、複数の無線電力伝送能力を有する電源モジュールの相互間の電力伝送を制御することができる方式である。
【課題を解決するための手段】
【０００７】
本発明の実施例は、第１クラスタを形成する複数の第１電源モジュールを含む無線電力伝送管理システムを提供する。各第１電源モジュールは、第１電源ユニット、エネルギー情報ユニット、第１無線送受信ユニット及び制御ユニットを含む。第１電源ユニットは、第１電源エネルギーを有し、エネルギー情報ユニットは、第１電源ユニットと電気的に接続され、第１電力伝送情報を生成し、そのうち、第１電力伝送情報は、第１電源エネルギー、電力伝送の距離、通信プロトコルのアドレス、前記第１電源モジュールが対応する名称、のうち少なくとも一つを含む。第１無線送受信ユニットは、少なくとも一つの第１無線送受信端を有する。第１無線送受信ユニットは、第１無線送受信端を介して第１電力伝送情報及び電力を送受信する。第１制御ユニットは、エネルギー情報ユニット及び第１無線送受信ユニットに電気的に接続されて、第１無線送受信ユニットが第１電力伝送情報及び電力を送受信するすることを制御する。そのうち、複数の第１無線送受信ユニットの相互間は前記第１電力伝送情報を伝送するとともに、複数の第１電源モジュールが制御信号により優先順序を決定する。
【０００８】
本発明の実施例は、第１クラスタを形成する少なくとも一つの第１電源モジュールと、第２電源モジュールとを含む無線電力伝送管理システムを提供する。第１電源モジュールは、第１電源ユニットと、エネルギー情報ユニットと、第１無線送受信ユニットと、第１制御ユニットとを含む。第１電源ユニットは、第１電源エネルギーを有する。エネルギー情報ユニットは、第１電源ユニットと電気的に接続され、第１電力伝送情報を生成する。第１無線送受信ユニットは、少なくとも一つの第１無線送受信端を有し、第１無線送受信ユニットは、少なくとも一つの第１無線送受信端を介して第１電力伝送情報及び電力を送受信する。第１制御ユニットは、エネルギー情報ユニット及び第１無線送受信ユニットに電気的に接続され、第１無線送受信ユニットが第１電力伝送情報及び電力を送受信することを制御する。そのうち、第１電力伝送情報は、前記第１電源エネルギー、前記電力伝送の距離、通信プロトコルのアドレス、前記第１電源モジュールの対応する名称、のうちの少なくとも一つを含む。第２電源モジュールは、第２制御ユニットと、エネルギー情報ユニットと、第２制御ユニットと、第２無線送受信ユニットとを含む。第２電源ユニットは、第２電源エネルギーを有する。エネルギー情報ユニットは、第２電源ユニットに電気的に接続され、第２電力伝送情報を生成する。そのうち、第２電力伝送情報は、第２電源エネルギー、電力伝送の距離、通信プロトコルのアドレス、第1電源モジュールの対応する名称、のうち少なくとも一を含む。第２無線送受信ユニットは、第２制御ユニットに接続され、少なくとも一つの第２無線送受信端を有し、第２無線送受信ユニットは、第１無線送受信ユニットと相互に第１、第２電力伝送情報を伝送する。そのうち、第２制御ユニットは、第１及び第２電力伝送情報に基づき制御信号を生成し、制御信号は第２無線送受信ユニットを介して第１電源モジュールに伝送され、そのうち第１電源モジュールの第１制御ユニットは、制御信号により第１電源モジュールの優先順序を決定する。
【０００９】
本発明の実施例は、第１クラスタを形成する複数の第１電源モジュールを含む無線電力伝送管理システムを提供する。各第１電源モジュールは、第１電源エネルギーを有し、第１電源モジュールは、第１無線送受信ユニット及び第１制御ユニットを含む。第１無線送受信ユニットは、第１電力伝送情報及び電力を無線送受信し、第１電源モジュールの第１制御ユニットは、第１無線送受信ユニットが第１電力伝送情報及び電力を送受信することを制御する。そのうち、電力伝送情報は、第１電源エネルギー、電力伝送の距離、通信プロトコルのアドレス、第１電源モジュールが対応する名称、のうちの少なくとも一つを含む。そのうち、前記第１電源モジュールは、制御信号に基づき前記電力の無線伝送又は受信の優先順位を決定する。  
【発明の効果】
【００１０】
以上により、本発明の実施例が提供する無線電力伝送管理システム及びその方法により、無線充電の機能を提供する。前記無線電力伝送管理システム及びその方法により、電源モジュールがエネルギーを伝送するか否かを決定し、更には、エネルギーをどの電源モジュールに伝送するかを決定できる。前記無線電力伝送管理システム及びその方法は、電源モジュールがエネルギーを受信するか否かも決定でき、更にどの電源モジュールがエネルギーを受信するかも決定できる。同時に、電力伝送情報を複数の電源モジュールの間で伝送させることができる。
【図面の簡単な説明】
【００１１】
【図１】本発明の実施例の無線電力伝送管理システムの概略図である。
【図２Ａ】本発明の実施例の無線電力伝送管理システム中の電源モジュールのブロック図である。
【図２Ｂ】本発明の実施例の無線電力伝送管理システム中の電源モジュールのブロック図である。
【図３】本発明の別の実施例の無線電力伝送管理システムの概略図である。
【図４】本発明の別の実施例の無線電力伝送管理システムの概略図である。
【図５Ａ】本発明の別の実施例の無線電力伝送システムが星状に配列して電力伝送情報を伝送する概略図である。
【図５Ｂ】本発明の別の実施例の無線電力伝送管理システムが線状に配列して電力伝送情報を伝送する概略図である。
【図５Ｃ】本発明の別の実施例の無線電力伝送管理システムがツリー状に配列して電力伝送情報を伝送する概略図である。
【図６】本発明の実施例の無線電力伝送管理方法のフローチャートである。
【図７】本発明の別の実施例の無線電力伝送管理方法のフローチャートである。
【発明を実施するための形態】
【００１２】
本発明の特徴及び技術内容について、更に理解するために、以下において本発明の詳細な説明と図面を参照して説明する。但しこれら説明及び図面は本発明を説明するためのものであって、本発明の権利範囲を制限するものではない。
【実施例】
【００１３】
(無線電力伝送管理システムの実施例)
図１を参照すると、図１は、本発明の実施例の無線電力伝送管理システムの概略図である。図１に示された無線電力伝送管理システムは、本発明の概念を説明するためのものであって、後続の実施例の説明及び図面中に、更に、無線電力伝送管理システムの詳細な部材が開示されている。無線電力伝送管理システム１は、４つの電源モジュール１１及び電源モジュール１２を含み、そのうち、電源モジュール１１は、クラスタ（ｃｌｕｓｔｅｒ）を形成する（本実施例は、電源モジュール１１が可能な分類方法を制限しない。又、電源モジュール１１は、更に第１電源モジュール、第２電源モジュールから第ｎ電源モジュール（図示せず）に分けることも可能であり、第１クラスタ、第２スラスターから第ｎクラスタを形成する）。電源モジュール１２は、４つの電源モジュール１１と相互にエネルギーを伝送することができる。電源モジュール１２は、例えば、無線充電/放電機能を有する電源モジュールであるか、又は、ＡＣ電源に接続する無線充電発射端であるか、又は、例えば、中華民国Ｍ３８１１１号特許のような無線充電機能を有する無線充電デスクなどのような無線充電機能を提供する装置であり、無線充電を提供する。本実施例は電源モジュール１１の数量について制限しない。
【００１４】
本実施例において、無線電力伝送管理システムは、複数の電源モジュール１１及び電源モジュール１２を含む。そのうち、複数の電源モジュール１１及び電源モジュール１２はクラスタを形成する。各電源モジュール１１は、第１電源ユニット１１１と、エネルギー情報ユニット１１２と、第１無線送受信ユニット１１４と、第１制御ユニット１１３とを含む。そして、電源モジュール１２の構造と機能は、電源モジュール１１の電源モジュールと同一であるので、電源モジュール１２を電源モジュール１１とみなすことができる。第１電源ユニット１１１は、第１電源エネルギーを有し、エネルギー情報ユニット１１２は第１電源ユニット１１１と電気的に接続され、第１電力伝送情報を生成する。そのうち、第１電力伝送情報は、第１電源エネルギー、電力伝送の距離、通信プロトコルのアドレス、前記電源モジュールの対応する名称、のうちの少なくとも一つを有する。第１無線送受信ユニット１１４は、少なくとも一つの第１無線送受信端を有する。第１無線送受信ユニット１１４は、第１無線送受信端を介して第１電力伝送情報及び電力を送受信する。第１制御ユニット１１３は、エネルギー情報ユニット１１２及び第１無線送受信ユニット１１４に電気的に接続され、第１無線送受信ユニット１１４が第１電力情報及び電力を送受信することを制御する。そのうち、複数の第１無線送受信ユニット１１４は、相互間で前記第１電力伝送情報を伝送するとともに、複数の電源モジュール１１は制御信号により優先順序を決定する。
【００１５】
実施例において、電源モジュール１２は、例えばスマートフォン、タブレット型パソコン又はノートブック型パソコンなどのモバイル装置のような電子装置であってもよく、管理プラットフォームとして用いる。図２Ａ及び図２Ｂを参照すると、図２Ａは、本発明の実施例の無線電力伝送管理システム中の電源モジュール１１のブロック図である。図２Ｂは、本発明の実施例の無線電力伝送管理システム中の電源モジュール１２のブロック図である。
【００１６】
電源モジュール１２は、第２電源ユニット１２１と、エネルギー情報ユニット１２２と、第２制御ユニット１２３と、第２無線送受信ユニット１２４とを含む。第２電源ユニット１２１は、第２電源エネルギーを有する。エネルギー情報ユニット１２２は、第２電源ユニット１２１と電気的に接続され、第２電源伝送情報を生成する。第２電源伝送情報は、前記第２電源エネルギー、前記電力伝送の距離、通信プロトコルのアドレス、前記電源モジュールの対応する名称、のうちの少なくとも一つを有する。第２無線送受信ユニット１２４は、第２制御ユニット１２３に接続され、少なくとも一つの第２無線送受信端を有し、第２無線送受信ユニット１２４に第１無線送受信ユニット１１４と相互に電力伝送情報を伝送させることができる。そのうち、第２制御ユニット１２３は、第１及び第２電力伝送情報に基づき、制御信号を生成することができる。前記制御信号は、第２無線送受信ユニット１２４を介して電源モジュール１１へ伝送される。前記制御信号は、第２制御ユニット１２３及び第１制御ユニット１１３をそれぞれ主制御ユニット及び従属制御ユニットとして設定し、且つ電源モジュール１１の第１制御ユニット１１３は、前記制御信号に基づき電源モジュール１１が電力を無線伝送するか又は受信するか、否かを判断できる。実施例において、複数の電源モジュール１１は、制御信号に基づき、前記電力を無線伝送するか又は受信するかの優先順序を含む優先順序を決定する。
【００１７】
実施例において、第１無線送受信ユニット１１４は、二つの第１無線送受信端を有し、前記二つの第１無線送受信端は異なる機能を行う。そのうち、一つの第１無線送受信端は、第２無線送受信ユニット１２４と相互に第１及び第２電力伝送情報を伝送する。別の第１無線送受信端は、第２無線送受信ユニット１２４と相互に電力を伝送する。これにより、第１無線送受信ユニット１１４は、第１及び第２電力伝送情報及び電力を送受信する。本発明は、複数の第１無線送受信端の数量を限定しない。第２無線送受信ユニット１２４の動作方法は、同一なので、ここでは詳細に述べない。
【００１８】
別の実施例において、第１無線送受信ユニット１１４は、一つの第１無線送受信端のみを有し、第２無線送受信ユニット１２４と相互に第１及び第２電力伝送情報及び電力を伝送し、これにより、第１無線送受信ユニット１１４に第１及び第２電力伝送情報及び電力を送受信させる。同様に、第２無線送受信ユニット１２４の動作方法は同一であるので、ここでは詳細に述べない。
【００１９】
図１から図２Ｂを同時に参照すると、電源モジュール１２の第２制御ユニット１２３は、第１及び第２電力伝送情報に基づき、制御信号を生成するとともに、制御信号は、第２無線送受信ユニット１２４を介して、電源モジュールへ伝送される。第２制御ユニット１２３は、制御信号に基づき、第２制御ユニット１２３が主制御ユニット１２ａとして設定され、そして、電源モジュール１１中の第１制御ユニット１１３が従属制御ユニット１１ａとして設定される。電源モジュール１２の第２制御ユニット１２３（即ち主制御ユニット１２ａ）は、第２電力伝送情報及び電力を各電源モジュール１１又は所定の電源モジュール１１に伝送することを決定できる。又、各電源モジュール１１又は所定の電源モジュールの第１制御ユニット１１３（即ち従属制御ユニット１１ａ）が伝送を決定した第１電力伝送情報及び電力を受信することを決定することができる。更に、所定の電源モジュール１１の第１制御ユニット１１３が第１電力伝送情報及び電力を所定の電源モジュール１１に伝送する決定を制御することもできる。具体的には、電源モジュール１２の第２制御ユニット１２３は、第２無線送受信ユニット１２４が電源モジュール１１の第１無線送受信ユニット１１４から伝送された第１電力伝送情報を受信することを制御して、どの電源モジュール１１において低電圧状態であるかを判断するとともに、第２制御ユニット１２３が第１及び第２電力伝送情報に基づき、制御信号を生成する。制御信号は、第２無線送受信ユニット１２４を介して電源モジュール１１の第１制御ユニット１１３に伝送され、第１制御ユニット１１３に電力を伝送するか又は受信するかの否かの決定をさせることができる。つまり、第２制御ユニット１２３は、制御信号を生成してどの電源モジュール１１から低電圧の電源モジュール１１に電源を供給するかを決定、又は、第２制御ユニット１２３は、第２無線送受信ユニット１２４が電力を第１無線送受信ユニット１１４に無線伝送して低電圧の電源モジュール１１に電力を獲得させることを決定することができる。これにより、所定の電源モジュール１１の電源エネルギーを調整して、エネルギー全体が平衡になるという目的を達成できる。
(無線電電力伝送管理システムの別の実施例)
【００２０】
図２Ｂ及び図３を同時に参照すると、図３は、本発明の別の実施例の無線電力伝送管理システムの概略図である。図３における無線電力伝送管理システム１'と図１中の無線電力伝送管理システム１の両者は構造が類似しており、無線電力伝送管理システム１'も、電子装置１２'及び電源モジュール１１を有する。電子装置１２'は、図２Ｂの電源モジュール１２が有する第２制御ユニット１２３と第２無線送受信ユニット１２４とを有する。無線電力伝送管理システム１'は、無線電力伝送管理システム１との間の差異は、単に、電子装置１２'の第２制御ユニット１２３が中央制御ユニット１２ａ'であることである。
【００２１】
実施例において、電子装置１２'は、図２Ｂの電源モジュール１２が有する第２電源ユニット１２１とエネルギー情報ユニット１２２とを含まない。電子装置１２'の第２制御ユニット１２３（即ち中央制御ユニット１２ａ'）は、第２無線送受信ユニット１２４を介して電源モジュール１１の第１無線送受信ユニット１１４が伝送した第１電力伝送情報を受信することができ、且つ、所定の電源モジュール１１の第１制御ユニット１１３が第１電力伝送情報を所定の電源モジュール１１に伝送することを制御して、第１電力を所定の電源モジュール１１に伝送することを決定する。具体的には、電子装置１２'の中央制御ユニット１２ａ'が第２無線送受信モジュール１２４を介して第１電力伝送情報を受信し、どの電源モジュール１１において低電圧状態であるかを判断するとともに、中央制御ユニット１２ａ'が第１電力伝送情報に基づき制御信号を生成する。この制御信号は、第２無線送受信ユニット１２４を介して電源モジュール１１の第１制御ユニット１１３に伝送することにより、中央制御ユニット１２ａ'が、所定電源モジュール１１の第１制御ユニット１１３を制御して所定の電源モジュール１１へ電力を伝送させ、そして、中央制御ユニット１２ａ'それ自体は、電力を低電圧状態の電源モジュール１１に伝送しない。これにより、所定の電源モジュール１１全体の必要なエネルギーを統合できる。
【００２２】
実施例において、電子装置１２'は、図２Ｂの電源モジュール１２が有する第２電源ユニット１２１及びエネルギー情報ユニット１２２を有する。本実施例において、電子装置１２'の第２制御ユニット１２３（即ち中央制御ユニット１２ａ'）は、第２無線送受信ユニット１２４を介して電源モジュール１１の第１無線送受信ユニット１１４が伝送した第１電力伝送情報及び電力を受信でき、且つ、所定の電源モジュール１１の第１制御ユニット１１３が第１電力伝送情報を所定の電源モジュール１１又は電子装置１２'に伝送することを制御できる。同様に、電子装置１２'の中央制御ユニット１２'は、第２無線送受信ユニット１２４を介して第１電力伝送情報を受信して、制御信号を生成する。この制御信号は、第２無線送受信ユニット１２４を介して電源モジュール１１の第１制御ユニット１１３へ伝送されて、所定の電源モジュール１１の第１制御ユニット１１３が第１電力を所定の電源モジュール１１又は電子装置１２'へ伝送することを中央制御ユニット１２ａ'に制御させる。このように、電源モジュール１１間で直接又は間接的に相互に電力を伝送できる以外に、電子装置１２'を介して間接的に電力を伝送することができ、これにより、所定の電源モジュール１１の必要なエネルギーを統合できる。
(無線電力伝送管理システムの別の実施例)
【００２３】
図４を参照すると、図４は、本発明の別の実施例の無線電力伝送管理システムの概略図である。本実施例中の無線電力伝送管理システム１''は、複数の図１又は図３に示される電源モジュール１１と、主制御ユニットＭＡとする図１又は図３に示される電源モジュール１２ａ又は１２ａ'とを含み、そして、一部の電源モジュール１１が電力伝送の有効な伝達範囲内（主制御ユニットＭＡに相当）に存在しない場合、主制御ユニットＭＡは、有効伝達範囲内に存在しない複数の電源モジュール１１との通信又は電力の伝送を行うことができない。先ず、主制御ユニットＭＡに、有効伝達範囲内に存在しない複数の電源モジュールと通信を行わせるか、又は、主制御ユニットＭＡが管理するクラスタにおいて、有効伝達範囲内に存在しない複数の電源モジュール１１が電力を獲得でき、主制御ユニットＭＡが複数の従属制御ユニットを制御する過程において、有効伝達範囲内に存在する複数の電源モジュール１１に対して、主制御ユニットＭＡは第２無線送受信ユニット１２４を介して直接第１電力伝送情報を受信して認識する。そして、有効伝達範囲内に存在しない複数の電源モジュール１１に対して、主制御ユニットＭＡは、認識された電源モジュール１１が第１無線送受信ユニット１１４を介して近隣の認識されていない電源モジュールの第１電力伝送情報を受信することにより、主制御ユニットＭＡに、認識された電源モジュール１１を介して認識されていない電源モジュールと間接的に通信を達成させ、更に、有効伝達範囲内に存在しない複数の電源モジュール１１を制御することができる。
【００２４】
次に、主制御ユニットＭＡが更に有効に各電源モジュール１１を制御できるように、前記電源モジュール１１が相互に通信することによりクラスタを形成する。主制御ユニットＭＡは、受信した第１電力伝送情報に基づき、前記複数の電源モジュール１１が有する第１電源エネルギーの含量及び電力伝送距離を判断する。複数の電源モジュール１１は、それぞれが有する第１電源エネルギー、電力伝送の距離、通信プロトコルのアドレス、前記電源モジュール１１の対応する名称、のうちの少なくとも一つに基づき、前記クラスタを複数のグループに分類する。本実施例において、複数の電源モジュールが形成したクラスタに対してグループに分類する方法は、主制御ユニットＭＡが、高い第１電源エネルギーから低いエネルギーへ、及び近い電力伝送距離から遠い距離へに基づいて、前記複数の電源モジュール１１を、第１レベルグループ２、第２レベルグループ３......から第ｎレベルグループｎの順で分類し、そのうち、ｎは正整数である。そのうち、第１レベルグループは、それが有する第１電源エネルギー含量が最高であり且つ主制御ユニットＭＡとの電力伝送距離が最も近いグループを表す。一方、第ｎレベルグループは、第１電源エネルギーの含量が最低であり且つ主制御ユニットＭＡとの電力伝送距離が最も遠いグループを表す。この他、前記複数の電源モジュール１１において、一部の電源モジュール１１が有線方式により交流電源と接続されている場合、交流電源に接続された電源モジュール１１が有する第１電源エネルギーは交流電源と接続されていない電源モジュール１１よりも高いと判定される。つまり、交流電源に接続された電源モジュール１１は、それが属するグループの分類レベルが交流電源に接続されていない電源モジュール１１より高い。
【００２５】
更に、第１レベルグループ２、第２レベルグループ３......から第ｎレベルグループｎは、複数の異なるグループにさらに分類することができる。第１レベルグループ２を例にすると、第１レベルグループ２内に複数の電源モジュール１１を有し、前記複数の電源モジュール１１は、それぞれが有する第１電源エネルギーの多寡又は電源伝送距離の遠近に基づき、更に前記クラスタを異なるグループに分類することができる。具体的には、第１レベルグループ２内の複数の電源モジュール１１は、相互に有する第１電源エネルギー含量が近似するか、又は相互間に電力伝送距離が近い場合、同一グループに分けられ、複数の異なるグループを形成する。同時に、前記複数の異なるグループは、各グループが有する第１電源エネルギーの高いほうから低いほうへ及び各グループと主制御ユニットＭＡとの電力伝送距離の近いほうから遠いほうへに基づき、第１レベルの第１グループ２１、第１レベルの第２グループ２２、第１レベルのの第２グループ２３、第１レベルの第４グループ２４に順に分けることもできる。本実施例において、第２レベルグループ３......から第ｎレベルグループｎの分類もまた同様に行う。
【００２６】
この他、第１レベルの第１グループ２１、第１レベルの第２グループ２２......から第ｎレベルの第ｎグループは、主制御ユニットＭＡから発出された制御信号により、第１レベルの第１グループ２１、第１レベルの第２グループ２２......から第ｎレベルの第ｎグループ内のそれぞれが対応する複数の電源モジュール内の複数の第１制御ユニットのうちの一つをサブ制御ユニットとして設定する。例えば、第１レベルの第１グループは、制御信号により、サブ制御ユニット２１ａ（即ち第１従属制御ユニット）を設定し、その他の第１制御ユニットを第２従属制御ユニット２１ｂと設定する。第１レベルの第２グループ２２は、制御信号によりサブ制御ユニット２２ａ（即ち第１従属制御ユニット）と設定し、残りの第１制御ユニットを第２従属制御ユニット２２ｂと設定する。第１レベルの第３グループ２３は、制御信号により、サブ制御ユニット２３ａ（即ち第１従属制御ユニット）と設定し、残りの第１制御ユニットを第２従属制御ユニット２３ｂと設定する。第１レベルの第４グループは、制御信号により、サブ制御ユニット２４ａ（即ち第１従属制御ユニット）と設定し、残りの第１制御ユニットを第２従属制御ユニット２４ｂと設定する。主制御ユニットＭＡが設定した複数のサブ制御ユニット２１ａは、それぞれが属する第１レベルの第１グループ２１、第１レベルの第２グループ２２......から第ｎレベルの第ｎグループの電力の伝送と受信を、主に管理する。特に、主制御ユニットＭＡが属する電源モジュールにエネルギー消耗又は破損の現象が発生して、主制御ユニットＭＡは正常な動作が行うことができない場合、第１レベルの第１グループ２１のサブ制御ユニット２１ａが、直ちに主制御ユニットＭＡに代わって新たな主制御ユニットＭＡとなる。即ち、サブ制御ユニット２１ａは、主制御ユニットＭＡの次の優先順位である。この後、主制御ユニットＭＡに再度正常に動作できない現象が発生した場合、第１レベルの第２グループ２２のサブ制御ユニット、第１レベルの第３グループ２３のサブ制御ユニット......から第ｎレベルの第ｎグループのサブ制御ユニットへの置換順位により、正常に動作しない主制御ユニットＭＡを順に置換する。上記分類方法以外に、複数の電源モジュール１１を分類する方法も通信プロトコルのアドレス又は前記電源モジュール１１の対応する名称により行うことができる。図４中の複数の電源モジュール１１の第１無線送受信ユニットは、異なる通信プロトコルのアドレスを有し、この複数の電源モジュール１１間により相互に通信を行う。主制御ユニットＭＡは、直接的に有効伝達範囲内に存在する複数の電源モジュール１１と通信を行うことができ、且つ有効伝達範囲内に存在する複数の電源モジュール１１により間接的に有効伝達範囲内に存在しない複数の電源モジュール１１を制御できる。主制御ユニットＭＡが複数の電源モジュール１１を複数のグループに分類する過程において、複数の電源モジュール１１の第１無線送受信ユニット１１４が伝送した第１電力伝送情報を介して、通信プロトコルのアドレスの関する情報が得られる。そのうち、通信プロトコルのアドレスに基づき、ユーザーは個人の好みにより電子装置と複数の電源モジュール１１間の主従関係を設定することができる。即ち主制御ユニット及び従属制御ユニットに分けることができる。又はユーザーが主制御ユニットＭＡを介して、複数の電源モジュール１１中の所定の電源モジュール１１を第１レベルグループ、第２レベルグループ若しくはその他のレベルグループに直接的に設定し、且つユーザーはグループ内のどの電源モジュール１１をサブ制御ユニットにするかを設定することができる。しかし、第１無線送受信ユニット１１４が伝送した第１電力伝送情報中にも複数の電源モジュール１１に対応する名称の関連情報を含むので、ユーザーは複数の電源モジュール１１に対応する名称によってもグループを分類することができる。
【００２７】
別の実施例において、図１に示されるように、無線電力伝送管理システム１中の電源モジュール１２が電源モジュール１１である場合、即ち、無線電力伝送管理システムが前述の実施例に示された複数の電源モジュール１１を含むだけである。本実施例と前述の実施例との差異は、制御信号は第１又は第２電力伝送情報に基づき生成される以外にも、任意に生成される制御信号によっても電源モジュール１１は受信できる。本実施例において、前記制御信号は、複数の電源モジュール１１中の第１制御ユニット中から任意に主制御ユニットを選出するとともに、その残りの第１制御ユニットを従属制御ユニットとして設置する。更に詳細に言うと、主制御ユニットは、各電源モジュール１１の電源エネルギー含量、電源伝送距離、対応する名称、通信プロトコルなどの情報に基づかなくとも電源モジュール１１のグループを分類することができる。主制御ユニットは、任意に電源モジュール１１に対しグループの分類を行うことができる。又、前述の実施例でも述べたように、各グループ中の電源モジュールの第１制御ユニットがサブ制御ユニットである。同様に、サブ制御ユニットと主制御ユニットの動作方法は前述の実施例と同じであるので、ここでは詳細に述べない。
【００２８】
特に、実施例において、複数の電源モジュール１１は、単一のクラスタを形成するだけではなく、又即ち、複数の電源モジュール１１中の一部の電源モジュールが第１電源モジュールとなり、残りの電源モジュールが第２電源モジュールとなるだけではなく、第１電源モジュールが第１クラスタを形成し、第２電源モジュールが第２クラスタを形成する。第２クラスタ内の複数の第２電源モジュールと第１クラスタ内の複数の電源モジュールは優先順序を相互に決定し、且つ電力を伝送できる。第２クラスタ内の複数の電源モジュールと第１クラスタ内の複数の電源モジュール間が電力を伝送する動作方法は、前述の実施例と同一であるので、ここでは詳細に述べない。
【００２９】
本発明の実施例は、無線電力伝送管理システム中の電源モジュール１１と電源モジュール１２の配列方式について制限しない。その配列方式は、例えば、星状、線状又はツリー状を呈するように、任意に配列又は配置できる。図５Ａ〜図５Ｃを同時に参照すると、図５Ａは、本発明の別の実施例の無線伝送管理システムが星状に配列された電力情報伝送の概略図である。図５Ｂは、本発明の別の実施例の無線電力伝送管理システムが線状に配列された電力情報伝送の概略図である。図５Ｃは、本発明の別の実施例の無線電力伝送管理システムがツリー状に配列された電力情報伝送の概略図である。デスクトップコンピュータ４は、本発明の実施例の無線電力伝送管理システムの主制御ユニット１２ａ又は中央制御ユニット１２ａ'とみなすことができ、壁掛け電話５、スマートフォン６、ノートブックパソコン７、ビデオプレーヤー８及び直立型扇風機９を複数の電源モジュール１１とみなすことができる。図５Ａに示されるように、星状配列は、デスクトップパソコン４が全ての無線電力伝送管理システムの中心であり、デスクトップパソコン４が主制御ユニット１２ａである場合、デスクトップパソコン4は、無線方式で第１又は第２電力伝送情報及び電力を直接壁掛け電話５、スマートフォン６、ノートブックパソコン７、ビデオプレーヤー８及び直立型扇風機９に伝送することができる。一方、デスクトップパソコン４が中央制御ユニット１２ａ'である場合、デスクトップパソコン４は、無線方式で第１電力伝送情報及び電力を壁掛け電話５、スマートフォン６、ノートブックパソコン７、ビデオプレーヤー８及び直立型扇風機９に直接伝送できる。図５Ｂのような線状配列は、デスクトップパソコン４が主制御ユニット１２ａである場合、デスクトップパソコン４は、無線方式で第１又は第２電力伝送情報及び電力を直立型扇風機９に伝送し、更に直立型扇風機９を経由して無線の方式で第１又は第２電力伝送情報及び電力を壁掛け電話５へ伝送する。壁掛け電話５、スマートフォン６、ノートブックパソコン７、ビデオプレーヤー８の第１又は第２電力伝送情報及び電力の伝送方式は同じように行う。一方、デスクトップパソコン４が中央制御ユニット１２ａ'である場合、デスクトップパソコン４は、無線方式で第１電力伝送情報及び電力を直立型扇風機９に伝送し、更に、直立型扇風機９を経由して無線方式で第１電力伝送情報及び電力を壁掛け電話５へ伝送する。壁掛け電話５、スマートフォン６、ノートブックパソコン７、ビデオプレーヤー８の第１電力伝送情報及び電力の伝送方式もまた同じように行われる。図５Ｃに示されるツリー状配列は、デスクトップパソコン４が主制御ユニット１２ａである場合、デスクトップパソコン４は、無線方式で第１又は第２電力伝送情報及び電力をビデオプレーヤー８又は壁掛け電話５に同時に伝送でき、次にビデオプレーヤー８から無線方式により第１又は第２電力伝送情報及び電力をスマートフォン６又は直立型扇風機９に伝送でき、又壁掛け電話５を経由して無線方式で第１又は第２電力伝送情報及び電力をノートブックパソコン７へ伝送できる。一方、デスクトップパソコン４が中央制御ユニット１２ａ'である場合、デスクトップパソコン４は無線方式で第１電力伝���情報及び電力をビデオプレーヤー８又は壁掛け電話５に同時に伝送でき、次にビデオプレーヤー８を経由して無線方式で第１電力伝送情報及び電力をスマートフォン６又は直立型扇風機９に伝送し、又壁掛け電話５を経由して無線方式で第１電力伝送情報及び電力をノートブックパソコン７へ伝送することができる。本発明の実施例は電子装置及び電源モジュールが可能な配列方式を制限しない。
(無線電力伝送管理方法の実施例)
【００３０】
図２Ａ〜図２Ｂ及び図６を同時に参照すると、図６は、本発明の実施例の無線電力伝送管理方法及びフローチャートである。図６に示されるように、無線電力伝送管理方法は、以下のような工程を含む。少なくとも一つの電池モジュール１１がクラスタを形成し（本実施例は電源モジュール１１が分類できる方式を制限するものではなく、又即ち電源モジュール１１が第１電源モジュール、第２電源モジュールから第ｎ電源モジュール（図示せず）に分割され、第１クラスタ、第２クラスタから第ｎクラスタを形成する）、電源モジュール１１は、第１電源エネルギーを有し、電源モジュール１１は、第１無線送受信ユニット１１４及び制御ユニットを含む（ステップＳ６０１）。実務上、第１無線送受信ユニット１１４は、第１電力伝送情報及び電力を無線送受信する。電源モジュール１１の第１制御ユニット１１３は、第１無線送受信ユニット１１４が第１電力伝送情報及び電力を送受信することを制御する。そのうち、第１電力伝送情報は、第１電源エネルギー、電力伝送の距離、通信プロトコルのアドレス、電源モジュールの対応する名称、のうち一つを含む。第２制御ユニット及び第２無線送受信ユニットを含む電源モジュール１２を提供する（ステップＳ６０３）。実務上、第２無線送受信ユニット１２４は、第１無線送受信ユニット１１４と相互に第１電力伝送情報及び電力を伝送する。第２制御ユニット１２３及び第１制御ユニット１１３は、第１電力伝送情報に基づき制御信号を生成して、電源モジュール１２の第２制御ユニット１２３及び電源モジュール１１の第１制御ユニット１１３の主従関係を設定する（ステップＳ６０５）。実務上、制御信号は、第２無線送受信ユニット１２４を介して電源モジュール１１に伝送され、制御信号は、第２制御ユニット１２３及び第１制御ユニット１１３をそれぞれ主制御ユニット及び従属制御ユニットに設定する。そして、電源モジュール１１の第１制御ユニット１１３は、制御信号に基づき、電源モジュール１１が電力を無線伝送又は受信するか否かを判断する（ステップＳ６０７）。実務上、第２制御ユニット１２３は、電力伝送情報に基づき、どの電源モジュール１１において低電圧状態であるかを知ることができるので、制御信号を低電圧状態の電源モジュール１１へ発出して、低電圧状態の電源モジュール１１の第１制御ユニット１１３に制御信号に基づき電力を受信させる。
【００３１】
実施例において、ステップＳ６０３に対して、前記電源モジュール１２は、第２電源エネルギーをさらに有し、第２無線送受信ユニット１２７は、第２電力伝送情報を無線送受信し、第２無線送受信ユニット１２４は、第１無線送受信ユニット１１４と相互間で第１及び第２電力伝送情報及び電力を伝送する。そのうち、第２電力伝送情報は、第２電源エネルギー、電力伝送の距離、通信プロトコルのアドレス、電源モジュールの対応する名称、のうち少なくとも一つを含む。又、ステップＳ６０５に対して、第２制御ユニット１２３及び第１制御ユニット１１３は、第１電力伝送情報に基づく以外にも、同時に第２電力伝送情報により制御信号を更に生成して、電源モジュール１２の第２制御ユニット１２３及び電源モジュール１１の第１制御ユニット１１３の主従関係を設定する。
【００３２】
図２Ａ〜図２Ｂ、図４及び図７を同時に参照すると、図７は、本発明の別の実施例の無線電力伝送管理方法のフローチャートである。図７に示されるように、無線電力伝送管理方法は以下のような工程を含む。主制御ユニットＭＡが有効伝達範囲内に存在する複数の電源モジュール１１に対して通信を行う（ステップＳ７０１）。主制御ユニットＭＡは、認識された複数の電源モジュール１１により有効伝達範囲内に存在しない複数の電源モジュール１１と間接的に通信を行う（ステップＳ７０３）。そのうち、実務上、主制御ユニットＭＡは認識された複数の電源モジュール１１の第１無線送受信ユニット１１４を介して、隣接し認識されていない複数の電源モジュール１１の電力伝送情報を受信したのち、次に認識された複数の電源モジュール１１の第１無線送受信ユニット１１４を利用して、認識されていない電源モジュール１１の電力伝送情報を主制御ユニットＭＡに伝送して、主制御ユニットＭＡが認識された複数の電源モジュール１１を介して認識されていない電源モジュール１１と間接的に通信を行い、第１クラスタを形成し、更に、有効伝達範囲内に存在しない複数の電源モジュール１１を制御することできる。主制御ユニットＭＡが第１電源含量と電力伝送距離に基づき、第１クラスタの電源モジュール１１を複数のレベルを有するグループに分類する（ステップＳ７０５）。そのうち、実務上、主制御ユニットＭＡが複数の電源モジュール１１が有する第１電源エネルギーの高いほうから低いほうへ及び電力伝送距離の近いほうから遠いほうへに基づき、前記複数の電源モジュール１１を順に、第１レベルグループ２、第２レベルグループ３......から第ｎレベルグループｎに分類する。そのうち、ｎは正整数である。そして、前記複数の電源モジュール１１のうち、一部の電源モジュール１１が有線式により交流電源に電気的に接続され、即ち交流電源に接続された電源モジュール１１が有する第１電源エネルギーは、交流電源に接続されていない電源モジュール１１よりも高いと判定される。各レベルのグループ内の複数の電源モジュール１１は、近似する第１電源エネルギー及び電力伝送距離を有するか否かに基づいて、異なるグループに分割される（ステップＳ７０７）。実務上、第１レベルグループ２、第２グループ３......から第ｎレベルグループｎは、複数の異なるグループに更に分類することができる。例えば、第１レベルグループを例にすると、第１レベルグループ２内に、複数の電源モジュール１１を有し、前記複数の電源モジュール１１の相互間に有する第１電源エネルギーが近似するか又は相互間の電力伝送距離が近似する場合、同一グループに分割され、複数の異なるグループを形成する。前記複数の異なるグループは各グループが有する第１電源エネルギーの高いほうから低いほうへ及び各グループと主制御ユニットＭＡの電力伝送距離の近いほうから遠いほうへに基づき、更に順に第１レベルの第１グループ２１、第１レベルの第２グループ２２、第１レベルの第３グループ２３、第１レベルの第４グループ２２に分類され、そして第２レベルグループ３......から第ｎレベルグループｎの分類も同様に行われる。主制御ユニットＭＡが発出した制御信号は、第１レベルの第１グループ２１から......第ｎレベルの第ｎグループ内がそれぞれ対応する複数の電源モジュールのうちの一つがサブ制御ユニット２１ａに設定する（Ｓ７０９）。実務上、主制御ユニットＭＡが設定したサブ制御ユニット２１ａは、それぞれが属する第１レベルの第１グループ２１、第１レベルの第２グループ２２......から第ｎレベルの第ｎグループの電力伝送と受信を管理する。主制御ユニットＭＡが属する電源モジュール１１にエネルギー消耗又は破損の現象が発生し、主制御ユニットＭＡが正常に動作できない場合、即ち、第１レベルの第２グループ２２のサブ制御ユニット、第１レベルの第２グループ２３のサブ制御ユニット......から第ｎレベルの第ｎグループのサブ制御ユニット２１ａの順序で、正常に動作できない主制御ユニットＭＡに順に取って代わる。
【００３３】
上記分類方法以外に、主制御ユニットＭＡは、複数の電源モジュール１１の第１無線送受信ユニット１１４を介して、各電源モジュールの電源伝送情報を受信することができ、そして、電力伝送情報中に第１電源エネルギーと電力伝送の距離を含む以外に、更に、通信プロトコルのアドレス又は前記電源モジュールの対応する名称も含む。従って、通信プロトコルのアドレス又は電源モジュール１１の対応する名称に基づき、ユーザーは個人の好みにより電子装置と複数の電源モジュール１１間の主従関係を設定することができる。即ち、主制御ユニット及び従属制御ユニットに分けることができる。又はユーザーが主制御ユニットＭＡを介して、複数の電源モジュール１１中の所定の電源モジュール１１を第１レベルグループ、第２レベルグループ若しくはその他のレベルグループに直接的に設定し、且つユーザーは更に、グループ内のいずれか一の電源モジュールをサブ制御ユニットに設定することができる。
【００３４】
実施例において、無線電力伝送管理方法は、複数の電源モジュールにより第１クラスタを形成する工程だけを含むことができる。各電源モジュールは、第１電源エネルギーを有し、電源モジュールは、第１無線送受信ユニット及び第１制御ユニットを含み、第１無線送受信ユニットは第１電力伝送情報及び電力を送受信し、電源モジュールの第１制御ユニットは、第１無線送受信ユニットを制御して第１電力伝送情報及び電力を送受信する。そのうち、第１電力伝送情報は、第１電源エネルギー、電力伝送の距離、通信プロトコルのアドレス、電源モジュールの対応する名称、のうち一つを含む。そのうち、複数の電源モジュールは、制御信号により、電力の無線伝送又は受信の優先順序を決定する。本実施例において、制御信号は、第１又は第２電力伝送情報に基づき生成する以外にも、又、任意に生成した制御信号を電源モジュール１１が受信してもよい。本実施例において、前記制御信号は、先ず複数の電源モジュール１１中の第１制御ユニットから主制御ユニットを任意に選出するとともに、残りの第１制御ユニットを従属制御ユニットとして設置し、且つ、主制御ユニットは、各電源モジュール１１の電源エネルギー含量、電力伝送距離、対応する名称又は通信プロトコルのアドレスなどの情報に基づかなくとも、電源モジュール１１のグループの分類を行うことができ、主制御ユニットは、電源モジュール１１に対しグループの分類を任意に行うことができる。又、前述の実施例で述べたように、各グループ中の電源モジュールの第１制御ユニットがサブ制御ユニットとなす。同様に、サブ制御ユニットと主制御ユニットの動作方式は、前述実施例と同一であるので、ここでは詳細に述べない。
【産業上の利用可能性】
【００３５】
特に、実施例において、複数の電源モジュール１１は、単一のクラスタを形成するだけではなく、複数の電源モジュール１１中の一部の電源モジュールは更に第１電源モジュールに分けられ、そして残りの電源モジュール１１を第２電源モジュールに分けることができる以外にも、第１電源モジュールは、第１クラスタを形成し、第２電源モジュールは第２クラスタを形成する。第２クラスタ内の複数の第２電源モジュールと第１クラスタ内の複数の第１電源モジュールは相互に電力を伝送できる。第２クラスタ内の複数の電源モジュールと第１クラスタ内の複数の電源モジュール間での電力伝送動作方法は、前述の実施例と同一であるので、ここでは詳細に述べない。以上より、上述で列挙した実施方法により、本発明の無線電力伝送管理システム及びその方法は、複数の電源モジュール間でエネルギーの伝送を行うか否かを決定し、更に、エネルギーをどの電源モジュールへ伝送するかを決定することができるとともに、本発明の無線電力伝送管理システム及びその方法は、更に、電源モジュールがエネルギーを受信するか否かを決定でき、更に、どの電源モジュールからエネルギーを受信させるかを決定することができる。
【００３６】
以上の記載は本発明の実施例を説明するためのものであり、本発明の特許範囲を制限するものではない。
【符号の説明】
【００３７】
１、１'、１' '：無線電力伝送管理システム
１１：電源モジュール
１１ａ：従属制御ユニット
１１１：第一電源ユニット
１１２：エネルギー情報ユニット
１１３：第１制御ユニット
１１４：第１無線送受信ユニット
１２：電源モジュール
１２'：電子装置
１２ａ：主制御ユニット
１２ａ' ：中央制御ユニット
１２１：第２電源ユニット
１２２：エネルギー情報ユニット
１２３：第二制御ユニット
１２４：第２無線送受信ユニット
２：第１レベルグループ
２１：第１レベルの第１グループ
２１ａ：サブ制御ユニット 
２１ｂ：第２従属制御ユニット 
２２：第一レベルの第２グループ
２２ａ：サブ制御ユニット 
２２ｂ：第二従属制御ユニット
２３：第一レベルの第３グループ
２３ａ：サブ制御ユニット 
２３ｂ：第二従属制御ユニット
２４：第一レベルの第４グループ
２４ａ：サブ制御ユニット 
２４ｂ：第二従属制御ユニット
３：第二レベルグループ
４：デスクトップパソコン
５：壁掛け電話
６：スマートフォン
７：ノートブックパソコン
８：ビデオプレーヤー
９：直立型扇風機
ＭＡ：主制御ユニット
Ｓ６０１〜Ｓ６０７、Ｓ７０１〜Ｓ７０９：工程フロー
【図１】
2015033324.tif 000003
【図２Ａ】
2015033324.tif 000004
【図２Ｂ】
2015033324.tif 000005
【図３】
2015033324.tif 000006
【図４】
2015033324.tif 000007
【図５Ａ】
2015033324.tif 000008
【図５Ｂ】
2015033324.tif 000009
【図５Ｃ】
2015033324.tif 000010
【図６】
2015033324.tif 000011
【図７】
2015033324.tif 000012